(57)【要約】【課題】この発明は、一対の側板間の背側に支軸を介して背金を回動可能に取り付けるとともに両側板間の先端部に支軸を介して刃体の基端を折り畳み可能に軸着し、背金の端の凸部と刃体の端部背側凹部が係合しロックできるポケットナイフにおいて、背金の端部を押すことなく、また刃体や背金に手を触れることなく片手で開閉を可能にしたポケットナイフを提供すること。【解決手段】  上記課題を達成するために、刃体に設けた突起とカム、背金に設けた突起とカムがそれぞれバネとキー溝によって連結され、側板の少なくとも一方の外側に、カムを支軸を介して軸着し、その軸を中心にカムを時計方向または逆方向に回転させることにより刃体や背金に手を触れることなく片手で刃体を開閉可能に形成することで解決する。【選択図】    図１
2005185800.tif 000002
【特許請求の範囲】
【請求項１】
一対の側板（９ａ、９ｂ）間の背側に支軸（１２）を介して背金（２１）を回動可能に取り付けるとともに両側板（９ａ、９ｂ）間の先端部に支軸（１２）を介して刃体（２５）の基端を折り畳み可能に軸着し、背金（２１）の端の凸部（２３）と刃体（２５）の端部背側凹部（２６）が係合しロックできるポケットナイフにおいて、刃体（２５）の突起（２７）とカム（１）との間にバネ（６）を連結し、背金（２１）の端部に突起（２２）を設け、側板（９ａ）の外側先端部に、支軸（１２）を介して軸着し回転可能にカム（１）を設けたことを特徴とするポケットナイフ。
【請求項２】
前記ポケットナイフにおいて、背金（２１）のもう一方の端部に係合するように側板（９ａ）側面に、バネ（１７）を設けたことを特徴とするポケットナイフ。
【発明の詳細な説明】
【発明の詳細な説明】
【技術分野】
【０００１】  この発明は、ポケットナイフに関するものである。
【背景技術】
【０００２】  従来の一対の側板間の背側に支軸を介して背金を回動可能に取り付けるとともに両側板間の先端部に支軸を介して刃体の基端を折り畳み可能に軸着し、背金の端の凸部と刃体の端部背側凹部が係合しロックできるポケットナイフは、閉じた状態から刃体を開く時、刃体の背側に固定された摘むことの出来るノブや打刻によって付けた凹部の爪掛けに指で直接触れて開かれるものであり刃に触れることは危険でありまた刃を傷つけたり汚す原因になっていた。【０００３】また、開かれた刃体を閉じるとき、背金の端の凸部と刃体の端部背側凹部が係合しロックを解除するために、背金の先端を指で強く抑えて行うことから、抑える為に強い力が必要であった。抑える力を少なくして楽に出来るように背金を軸着するの支点からの距離を長くしなくてならなかった。その為に背金のサイズをが大きく長く設計することを必要としていた。【０００４】このように従来の構造では刃体の開閉には、刃体や背金に直接手を触れ、また両手を使用して行わなければならず、大変危険であり、刃体の表面に傷を付けたり汚すことにもなった。さらに、たとえば魚や動物などの解体の作業中、魚や動物を抑える必要があるためにどうしても片手でナイフを開閉する事が必要なときがあるが、そんなとき開閉することができず大変不便であった。
【特許文献１】特開平７−２８４５７２号公報
【特許文献２】特開平８−１４１２２３号公報
【発明の開示】
【発明が解決しようとする課題】
【０００５】  この発明は、一対の側板間の背側に支軸を介して背金を回動可能に取り付けるとともに両側板間の先端部に支軸を介して刃体の基端を折り畳み可能に軸着し、背金の端の凸部と刃体の端部背側凹部が係合しロックできるポケットナイフにおいて、背金の端部を押すことなくまた、刃体や背金に手を触れることなく片手で開閉を可能にしたポケットナイフを提供すること。
【課題を解決するための手段】
【０００６】  上記課題を達成するために、刃体に設けた突起とカム、背金に設けた突起とカムがそれぞれバネとキー溝によって連結され、側板の外側先端部に、カムを支軸を介して軸着し、その軸を中心に時計方向または逆方向に回転させることにより刃体に手を触れることなく片手で開閉可能に形成することで解決する。
【発明の効果】
【０００７】  本発明は、前記のように構成され、従来のように刃体の背側に固定された摘むことの出来るノブや打刻によって付けた凹部の爪掛けに手で直接触れることなくまた背金を指で押すことなく片手でカムを回転するだけで刃体が開閉でき安全で且つ刃体を傷つけたり汚すことがないという効果がある。【０００８】また従来のように背金の先端を指の強い力で抑えることや背金のサイズをが大きく長く形成することなく、本発明は、背金やバネの部品が小さく形成でき回転を利用して小さな力で刃体の開閉が可能となるという効果がある。【０００９】魚や動物などの解体の作業中、魚や動物を抑える必要があるためにどうしても片手でナイフを開閉する事が必要なときがあるが、本発明は、カムの回転により片手で刃体を開閉することができ、作業性を上げるという効果がある。
【発明を実施するための最良の形態・実施例】
【００１０】図１は、本発明のポケットナイフを構成する部品を示す図で、固定ネジ１３ａ、１３ｂ、リング１６、カム１、カムバネ６、背金バネ１７、側板９ａ、９ｂ、背金２１、刃体２５、ベアリング２８、圧接板２９、スペーサー３２、支軸リング１２、他鋲等で構成されている。
以下組み込み状態について説明する。刃体２５は、刃体部突起２７が側板９ａの回転溝１０を貫通し、カム１のキー溝３に係合している。背金２１は、背金部突起２２が側板９ａのキー溝１１に係合している。背金２１基端部の係合凸部２３は、刃体２５が開いているとき、刃体２５の係合凹部２６と係合することが出来る。もう一端のバネ挿入孔２４は、背金バネ１７のバネ凸部１８が側板９ａのキー溝２０を貫通して係合され背金２１を付勢出来る。また背金２１は、固定鋲１４ａで側板９ａ、９ｂの間に周動可能に軸着されている。カムバネ６は、バネ曲部７を刃体２５の凸部２７に係合しもう一方のバネ凸部８は、カム１のバネ孔４に挿入されている。カムバネ６は側板９ａに約二分の一彫り込まれた凹部３４とカム１との間にセットされている。スペーサー３２は、側板９ａ、９ｂの間に固定鋲１４ｂ，１４ｃによって固着されている。カム１、側板９ａ、９ｂ、刃体２５は、支軸１２、リング１６、固定ネジ１３ａ、１３ｂで軸着されている。
【００１１】図２は、図１の構成部品を組み付けて刃体２５が閉じた状態を示す図である。
【００１２】以下、開閉手順について図３から図９で説明する。
図３は、カム１の指当て２を例えば親指で矢印の方向に回転させ、キー溝３が刃体２５の刃体部突起２７に触れるまで回転した状態である。この時カムバネ６は、カム１の回転により収縮した状態となっている。後で、図１０から図１３で説明するがこの時点では、刃体２５は、圧接板２９とベアリング２８によって閉じたまま付勢されている。
【００１３】図４は、カム１の指当て２を更に矢印の方向に回転させることにより刃体２５の刃体部突起２７とカム１に連結し収縮していたカムバネ６の反発力が加わり、刃体２５は、付勢された圧接板２９とベアリング２８から解除されて外へ楽に開き始めることになる。この時、刃体２５は、手で触れる事無くカム１の回転とカムバネ６の力で外に開く事が出来るのである。
【００１４】図５は、カム１の指当て２を更に矢印の方向に回転させることにより刃体２５の刃体部突起２７とカム１に連結しているカムバネ６の反発力により常にカム１の回転方向に作用する。この力により刃体２５はカム１の回転方向に楽に移動することができる。そして、刃体２５の係止部３３が背金２１の係合凸部２３を押し上げる事になる。この時背金２１の係合凸部２３は常に刃体２５の係止部３３を付勢しているように、背金バネ１７が作用している。
【００１５】図６は、カム１の指当て２を更に矢印の方向に回転させることにより刃体２５の係合凹部２６が、背金２１の係合凸部２３と係合し刃体２５は、確実にロックされるのである。このように刃体２５を手で触れることなくカム１を回転させることで開くことが出来るのである。
【００１６】図７は、刃体２５を閉じる手順を示しカム１の指当て２を矢印の方向に回転することで、背金２１の突起２２にカム１が作用し背金２１の係合凸部２３を刃体２５の係合凹部２６から解除する。この状態で刃体２５の背を閉じる方向に少し押すことでロックが解除される。このように、背金を押さえることなくカム１の回転により背金２１の係合凸部２３と刃体２５の係合凹部２６か楽に解除出来るのである。
【００１７】図８は、カム１の指当て２を逆回転である矢印の方向に回転させることにより刃体２５の刃体部突起２７がカム１のキー溝３によって回転し刃体２５は閉じる方向に移動する。
【００１８】図９は、カム１の当て２を更に矢印の方向に回転させることにより刃体２５は確実に閉じるのである。このような構成にする事によりに、カム１を時計方向又は逆方向に回転させることにより、刃体２５や背金２１に手を触れることなくカム１とカムバネ６の効果により刃体２５を開閉することができるのである。
【００１９】図１０から図１３は、刃体２５を閉じたときの状態を示すものであって図１０は、本発明のポケットナイフを裏面から見たもので、カム１によって時計の逆方向に回転し閉じる寸前の状態である。側板９ｂに開けた穴にベアリング２８をはめ込み、側板９ｂに圧接板固定鋲３１で固着された圧接板２９を設け、その先端の圧接部３０で圧接している。刃体２５の回転軸５ｃ近くに刃体係止凹部３５を形成し前記ベアリング２８と係合する位置にある。
【００２０】図１１は、その拡大端面図Ａ−Ａである。図では表面の側板９ａ、バネ６及びカム１は省略してある。
【００２１】図１２は、刃体２５が完全に閉じた状態を示し、ベアリング２８が刃体２５の刃体係止凹部３５に係合し圧接板２９のスプリング効果によって付勢されている。この作用によって刃体２５は、容易には開くことがなく安全に保持できるのである。
【００２２】図１３は、その拡大端面図である。図では、表面の側板９ａ、バネ６及びカム１は省略してある。
【００２３】また本実施例では、カム１を片方の側面に使用しているがカムを両側面に設けることが出来る。
【００２４】また本実施例では、背金２１を付勢するバネ１７を使用しているが、図１４に示すように従来例に使用されているような背金２１Ａ及び付勢するバネ１７Ａを使用することができる。
【００２５】本発明の技術分野は、ポケットナイフであるが、本来のポケットナイフ以外に電工ナイフ、ヨットマンナイフ、登山ナイフ、水中用ナイフ、ダイバーナイフ、飲食用ナイフ、包丁、フルーツナイフ、切り出しナイフ、バターナイフ、ピザカッター、チーズナイフ、マニキュア用ナイフ、削事ナイフ、シール等剥離ナイフ、パレットナイフ、ペインテイングナイフ、ペーパーナイフ、手術用ナイフ、彫刻刀、狩猟用ナイフ、鉛筆削りナイフ、ノコギリ等を含むものである。
【図面の簡単な説明】
【図１】本発明のポケットナイフの部品構成を示すものである。
【図２】本発明の部品が組み付けられ刃体を閉じた状態を示す。
【図３】本発明の刃体を開く手順の第一段階を示す。
【図４】本発明の刃体を開く手順の第二段階を示す。
【図５】本発明の刃体を開く手順の第三段階を示す。
【図６】本発明の刃体が開いた状態を示すものである。
【図７】本発明の刃体を閉じる手順の第一段階を示す。
【図８】本発明の刃体を閉じる手順の第二段階を示す。
【図９】本発明の刃体が閉じた状態を示すものである。
【図１０】本発明の刃体が完全に閉じる寸前の状態を示すものである。
【図１１】図１０のＡ−Ａ拡大端面図である。
【図１２】本発明の刃体が完全に閉じた時の状態を示すものである。
【図１３】図１２のＡ’−Ａ’拡大端面図である。
【図１４】本発明に従来例に使用されている背金を使用した場合を示す。
【符号の説明】
１：カム    ２：指当て    ３：キー溝    ４：バネ孔
５ａ、５ｂ、５ｃ、５ｄ：支軸孔    ６：カムバネ    ７：バネ曲部
８：バネ凸部    ９ａ、９ｂ：側板    １０：回転溝  １１：キー溝
１２：支軸リング    １３ａ，１３ｂ：固定ネジ    １４ａ，１４ｂ，
１４ｃ：固定鋲    １５ａ、１５ｂ：バネ固定鋲    １６：リング
１７：背金バネ  １８：バネ凸部  １９：バネ曲部  ２０：キー溝
２１：背金  ２２：背金部突起    ２３：係合凸部  ２４：バネ挿入孔
２５：刃体  ２６：係合凹部  ２７：刃体部突起  ２８：ベアリング
２９：圧接板  ３０：押圧部  ３１：圧接板固定鋲  ３２：スペーサー
３３：係止部  ３４：バネ収納凹部    ３５：刃体係止凹部
【図１】
2005185800.tif 000003
【図２】
2005185800.tif 000004
【図３】
2005185800.tif 000005
【図４】
2005185800.tif 000006
【図５】
2005185800.tif 000007
【図６】
2005185800.tif 000008
【図７】
2005185800.tif 000009
【図８】
2005185800.tif 000010
【図９】
2005185800.tif 000011
【図１０】
2005185800.tif 000012
【図１１】
2005185800.tif 000013
【図１２】
2005185800.tif 000014
【図１３】
2005185800.tif 000015
【図１４】
2005185800.tif 000016